(57)【要約】【課題】上下顎の印象を同時に採得できるとともに、十分かつ安定して印象材を盛り付けることができる印象用トレーを提供する。【解決手段】口腔内に挿入して印象を採得する印象材を保持する印象用トレー（１０）であって、前歯側に配置されるべき側から、臼歯側に配置されるべき側へと湾曲して延びる外枠（２１）と、外枠に対して所定の間隔を有して湾曲して延びる内枠（２２）と、一端が外枠に固定され、他端が内枠に固定される線状の部材で、外枠と内枠との位置関係を維持する連結部（２３）と、外枠と内枠との間隔に張られる面材（２４）と、外枠のうち前歯側に配置されるべき側の面に配置されるハンドル（３０）と、を備え、外枠は前歯側の部位が最も高く形成されており、この高さが臼歯側に向かって２ｍｍ以上１５ｍｍ以下の範囲のいずれかにまで維持されている。【選択図】図１
2015066258.tif 000002
【特許請求の範囲】
【請求項１】
口腔内に挿入して印象を採得する印象材を保持する印象用トレーであって、
前歯側に配置されるべき側から、臼歯側に配置されるべき側へと湾曲して延びる外枠と、
前記外枠に対して所定の間隔を有して湾曲して延びる内枠と、
一端が前記外枠に固定され、他端が前記内枠に固定される線状の部材で、前記外枠と前記内枠との位置関係を維持する連結部と、
前記外枠と前記内枠との前記間隔に張られる面材と、
前記外枠のうち前記前歯側に配置されるべき側の面に配置されるハンドルと、を備え、
前記外枠は前歯側の部位が最も高く形成されており、この高さが臼歯側に向かって２ｍｍ以上１５ｍｍ以下の範囲のいずれかにまで維持されている、印象用トレー。
【請求項２】
前記連結部はその少なくとも一部に、前記外枠のうち前記臼歯側に配置されるべき側の端面と前記内枠のうち前記臼歯側に配置されるべき側の端面とを結ぶ線に平行に延びる部位を含む、請求項１に記載の印象用トレー。
【発明の詳細な説明】
【技術分野】
【０００１】
本発明は、歯科補綴物の作製において患者の歯列や歯肉の印象を採得するときに用いる、上下顎の印象を同時に取得する印象用トレーに関する。
【背景技術】
【０００２】
一般に歯科治療において補綴物の作製に際して口腔内の印象を採得するときには、シリコーン印象材やアルジネート印象材等の印象材が用いられる。このような印象材を口腔内に挿入して印象を採得するために保持する器具として印象用トレーが用いられる。この印象用トレーに印象材を盛り付けて患者の口腔内に挿入し、印象材を患者が咬むことにより患者の歯列や歯肉等の形状を転写する。そして印象材が硬化した後に、口腔内の形状が転写された印象材が保持された状態で印象用トレーが口腔内から取り出される。
【０００３】
特許文献１に記載の印象用トレーも同様に印象の採得に用いられるトレーである。この印象用トレーは、所定の間隔を有して延びる２つのフレームを有し、このフレーム間を渡すように膜が張られている。このフレーム間が歯列弓に対応する形状に湾曲しており、フレームもこれに基づいた湾曲した形状を具備している。また２つのフレームのうち湾曲の外側のフレームからはハンドルが延びており、印象を採得する際の施術者の操作性を向上させている。このような印象用トレーでは、膜を挟んで該膜の一方側面及び他方側面の両方に印象材を盛り付けておき、これを患者の口腔内に挿入し、患者が咬むことで上下顎の印象を同時に採得することができる。
【先行技術文献】
【特許文献】
【０００４】
【特許文献１】特表平１１−５０５７５０号公報
【発明の概要】
【発明が解決しようとする課題】
【０００５】
ところが、特許文献１に記載のような印象用トレーでは、十分かつ安定した印象材の盛り付けが困難であった。
【０００６】
そこで本発明は上記問題を鑑み、上下顎の印象を同時に採得できるとともに、十分かつ安定して印象材を盛り付けることができる印象用トレーを提供することを課題とする。
【課題を解決するための手段】
【０００７】
以下、本発明について説明する。ここでは分かり易さのため、図面に付した参照符号を括弧書きで併せて記載するが、本発明はこれに限定されるものではない。
【０００８】
請求項１に記載の発明は、口腔内に挿入して印象を採得する印象材を保持する印象用トレー（１０）であって、前歯側に配置されるべき側から、臼歯側に配置されるべき側へと湾曲して延びる外枠（２１）と、外枠に対して所定の間隔を有して湾曲して延びる内枠（２２）と、一端が外枠に固定され、他端が内枠に固定される線状の部材で、外枠と内枠との位置関係を維持する連結部（２３）と、外枠と内枠との間隔に張られる面材（２４）と、外枠のうち前歯側に配置されるべき側の面に配置されるハンドル（３０）と、を備え、外枠は前歯側の部位が最も高く形成されており、この高さが臼歯側に向かって２ｍｍ以上１５ｍｍ以下の範囲のいずれかにまで維持されている、印象用トレーである。
【０００９】
請求項２に記載の発明は、請求項１に記載の印象用トレー（１０）において、連結部（２３）はその少なくとも一部に、外枠（２１）のうち臼歯側に配置されるべき側の端面と内枠（２２）のうち臼歯側に配置されるべき側の端面とを結ぶ線に平行に延びる部位を含む。
【発明の効果】
【００１０】
本発明の印象用トレーによれば、外枠のうち前歯側に配置されるべき一部が高く形成されていることから、上下顎の印象を同時に採得するに際し、十分かつ安定して印象材を盛り付けることができる。
【図面の簡単な説明】
【００１１】
【図１】印象用トレー１０の斜視図である。
【図２】印象用トレー１０の他の視点からの斜視図である。
【図３】印象用トレー１０の平面図である。
【図４】印象用トレー１０を図３に矢印ＩＶで示した方向から見た図である。
【図５】印象用トレー１０を図３に矢印Ｖで示した方向から見た図である。
【図６】図３にＶＩ−ＶＩで示した線に沿った端面図である。
【発明を実施するための形態】
【００１２】
本発明の上記した作用及び利得は、次に説明する発明の形態から明らかにされる。以下、本発明を図面に示す形態に基づき説明する。ただし本発明はこれら形態に限定されるものではない。
【００１３】
図１〜図６は１つの形態にかかる印象用トレー１０を表した図である。図１、図２はそれぞれ異なる角度から見た印象用トレー１０の斜視図、図３は印象用トレー１０の平面図、図４は印象用トレー１０の側面図のうち図３に矢印ＩＶで示した方向から見た図、図５は印象用トレー１０の背面図（図３に矢印Ｖで示した方向から見た図）、図６は図３にＶＩ−ＶＩに示した線に沿った端面図である。以下図１乃至図６を参照しつつ、印象用トレー１０について説明する。
【００１４】
本形態の印象用トレー１０は、歯列弓全体のうち一部の印象を採得することが想定された印象用トレー１０である。従って、図からも明らかなように、歯列弓全体に沿った形状に対して一部が欠けた形状とされている。本形態では、歯列弓全体のうち左右いずれか半分の全部の印象を採得できるように形成されており、印象を採得する部位が歯列弓の左右方向半分よりも若干多くなるように切り欠かれた形状を有している。
ここで、印象用トレー１０は公知の通り、ハンドル３０側が前歯側に配置されるべき側、ハンドル３０とは離隔した側が臼歯側に配置されるべき側である。図１〜図４にもこの方向を併せて示した（図及び以下では端に「前歯側」、「臼歯側」と記載する。）。
なお、本形態の印象用トレーは上記のように歯列弓のうちの一部の印象採得を想定した形状であるが、これに限らず歯列弓全体の印象を採得することを想定した形状であってもよい。
【００１５】
印象用トレー１０は、印象採得部２０及びハンドル３０を有して構成されている。印象採得部２０は実際に印象材を盛り付け、患者の口腔内へ挿入し印象を形成する部位であり、外枠２１、内枠２２、連結部２３、及び面材２４を備えている。一方、ハンドル３０は、印象用トレー１０の口腔内への着脱、その取りまわしの際に摘む部位であり、施術者の利便性が高められている。以下、各構成について説明する。
【００１６】
外枠２１は図３等からわかるように平面視で湾曲しつつ延びる部材である。この湾曲は歯列弓に対応した形状であることが好ましく、歯列弓の湾曲に略平行で該歯列弓を歯牙の外側から覆うような大きさの湾曲とされていることが好ましい。これにより後述する内枠２２との間に患者の歯列、及び歯肉を配置して適切に印象を採得することができる。
【００１７】
外枠２１は、図２、図４、図５、図６からわかるように、高さ方向（図２、図４、図５、図６の紙面上下方向）に重ねられた２つの部材２１ａ、２１ｂを具備して構成されている。すなわち、外枠２１は、その延びる方向に沿った１つの面同士を重ねるように連結された２つの部材２１ａ、２１ｂを有している。この２つの部材２１ａ、２１ｂは図４、図５からわかるように、当該重ねられた面を境に鏡面対称となる形状を具備している。そして、後述するように部材２１ａと部材２１ｂとの間に面材２４の一端が挟まれて保持されている。
【００１８】
また、図５に表したように外枠２１において、前歯側の一端から高さＴが増していき、ハンドル３０付近の部位の高さＴが他の外枠２１の部位に比べて最も高く、この高さＴが、図３に示したように臼歯側に延びる方向に沿って長さＬ維持され、その後臼歯側に向かって傾斜している。厚さＴは、１０ｍｍ以上３０ｍｍ以下が好ましく、長さＬは２ｍｍ以上１５ｍｍ以下、好ましくはＬは１０ｍｍ±５ｍｍ、より好ましくはＬは７ｍｍ±４ｍｍである。
これにより、印象材を安定して盛り付けることができる。また、前歯部から臼歯部にかけて緩やかに高さが低くなっていることにより患者が咬合したときに違和感なく咬合できるため、正確な印象採得が行えるようになる。
【００１９】
さらに、図１、図３に表れているように、外枠２１のうち内枠２２に対向する側の面には、突起２１ｃが所定の間隔を有して複数配置されている。これによりここに凹凸が形成され、印象材の保持力を向上させることができる。
【００２０】
次に内枠２２について説明する。内枠２２は図３等からわかるように平面視で湾曲しつつ延びる部材である。この湾曲は、外枠２１との間に略一定の間隔を有するように形成され、歯列弓に対応した形状であることが好ましく、歯列弓を歯牙の裏側から覆うような大きさの湾曲とされていることが好ましい。これにより外枠２１と内枠２２との間に患者の歯列、及び歯肉を配置してここに盛り付けられた印象材に対して適切に印象を採得することができる。
【００２１】
内枠２２は、図６からわかるように、高さ方向（図６の紙面上下方向）に重ねられた２つの部材２２ａ、２２ｂを具備して構成されている。すなわち、内枠２２は、その延びる方向に沿った１つの面同士を重ねるように連結された２つの部材２２ａ、２２ｂを有している。この２つの部材２２ａ、２２ｂは当該重ねられた面を境に鏡面対称となる形状を具備している。そして、後述するように部材２２ａと部材２２ｂとの間に面材２４の一端が挟まれて保持されている。
【００２２】
また、図６に表れるように内枠２２の高さは、内枠２２のある部位に対向する外枠２１の部位における高さと同じ又は低く形成されている。これにより患者は印象材を咬む際に内枠２２に阻害され難くなる。
【００２３】
さらに、図１〜図３に表れているように、内枠２２のうち外枠２１に対向する側の面には、突起２２ｃが所定の間隔を有して複数配置されている。これによりここに凹凸が形成され、印象材の保持力を向上させることができる。
【００２４】
外枠２１及び内枠２２は、公知の印象用トレーと同様の材料により形成することができる。従って樹脂により形成されることが好ましい。
【００２５】
次に連結部２３について説明する。連結部２３は外枠２１と内枠２２とを連結し、両者の位置関係を保持する部材である。本形態で連結部２３は、線状のステンレス鋼により形成され、一端が外枠２１の臼歯側端部に固定され、他端が内枠２２の臼歯側端部に固定されている。
このとき、連結部２３の両端のそれぞれは、外枠２１、内枠２２の臼歯側端面から臼歯側に向けて延び、互いに向かい合う方向に湾曲し、その間は直線で結ばれる直線部であることが好ましい。ここで、図３にＩＩＩｂ−ＩＩＩｂで表した直線部が延びる方向は、図３にＩＩＩａ−ＩＩＩａで表した外枠２１の臼歯側の端面と内枠２２の臼歯側の端面とを結ぶ線に平行であることが好ましい。これにより、連結部２３が臼歯側に大きく膨らむことを防止することができるため、印象採得時に患者に咬合させたときにこの連結部２３が邪魔になることを防止し、正確な咬合採得と印象採得を同時に採得することが可能となる。
【００２６】
連結部２３は最も臼歯側（口腔の奥側）に配置される部材であることから、できるだけ薄い（細い）ことが好ましい。かかる観点から細くても強度が高い材料が好ましく、これには例えば金属を挙げることができる。
【００２７】
次に面材２４について説明する。面材２４は、外枠２１と内枠２２との間に張られ、印象材を支持する機能を有する面状の部材である。従って、当該支持をすることができればその材料は特に限定されることなく用いることができる。これには例えば不織布、網等を挙げることができる。
面材２４は、外枠２１と内枠２２間を渡すように張られ、図６に表れるように、面材２４の１つの端部は部材２１ａと部材２１ｂとの間に挟まれるように固定され、面材２４の他の１つの端部は部材２２ａと部材２２ｂとの間に挟まれるように固定される。これにより、面材２４の一方の面側には、部材２１ａ、面材２４及び部材２２ａで囲まれる凹状部１０ａが形成され、面材２４の他方の面側には、部材２１ｂ、面材２４及び部材２２ｂで囲まれる凹状部１０ｂが形成される。
【００２８】
次にハンドル３０について説明する。ハンドル３０は施術者がここを摘んで印象用トレー１０を取りまわすための部材で、本形態では板状である。そしてハンドル３０は、板状のうち１つの端部が、口の小さな患者でも唇端が接触して干渉しないように外枠２１の前歯側面に固定され、さらに前歯側に延びるように配置される。
【００２９】
以上のような印象用トレー１０に対して、形成された凹状部１０ａ、１０ｂのそれぞれに印象材を盛り付けることができる。凹部１０ａと凹部１０ｂとは表裏の位置関係にあることから、凹部１０ａ及び凹部１０ｂを上顎及び下顎に対応させることができるので、上下顎の歯列及び歯肉の印象を同時に採得することが可能となる。
ここで、印象用トレー１０では、上記のように外枠２１の前歯側において高くされているので、印象材を安定して深く盛り付けることができる。そして深さが必要とされる前歯に対しても正確に印象を採得することが可能となる。
【符号の説明】
【００３０】
１０  印象用トレー
２０  印象採得部
２１  外枠
２２  内枠
２３  連結部
２４  面材
３０  ハンドル
【図１】
2015066258.tif 000003
【図２】
2015066258.tif 000004
【図３】
2015066258.tif 000005
【図４】
2015066258.tif 000006
【図５】
2015066258.tif 000007
【図６】
2015066258.tif 000008